【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
サービス品質（ＱｏＳ）メッセージをデバイスに送信することと、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、前記ＱｏＳメッセージは、複数のトラフィック識別子（ＴＩＤ）のためのバッファサイズを示すＱｏＳフィールドを備え、
前記ＱｏＳメッセージに応答してクリアツートランスミット（ＣＴＸ）メッセージを受信することと、
前記ＣＴＸメッセージに応答してデータを前記デバイスに送信することと、
を備える方法。
【請求項２】
前記ＱｏＳメッセージはＱｏＳデータフレームを備える、請求項１に記載の方法。
【請求項３】
前記ＱｏＳメッセージはＱｏＳヌルフレームを備える、請求項１に記載の方法。
【請求項４】
前記ＱｏＳメッセージは、送信電力の前記指示を備えるＱｏＳフィールドを備える、請求項１に記載の方法。
【請求項５】
前記ＱｏＳメッセージは、１つまたは複数の変調およびコーディング方式（ＭＣＳ）を要求するＱｏＳフィールドを備える、請求項１に記載の方法。
【請求項６】
前記ＱｏＳメッセージは、複数のトラフィック識別子（ＴＩＤ）のためのバッファサイズを示すシーケンス制御フィールドを備える、請求項１に記載の方法。
【請求項７】
前記ＱｏＳメッセージは、送信電力の前記指示を備えるシーケンス制御フィールドを備える、請求項１に記載の方法。
【請求項８】
前記ＱｏＳメッセージは、１つまたは複数の変調およびコーディング方式（ＭＣＳ）を要求するシーケンス制御フィールドを備える、請求項１に記載の方法。
【請求項９】
前記受信することは、前記デバイスが複数のアップリンクユーザから、バッファ情報をもつＱｏＳメッセージを受信した後に、前記ＣＴＸメッセージを受信することを備える、請求項１に記載の方法。
【請求項１０】
ワイヤレス通信のための装置であって、
サービス品質（ＱｏＳ）メッセージをデバイスに送信するための手段と、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、前記ＱｏＳメッセージは、複数のトラフィック識別子（ＴＩＤ）のためのバッファサイズを示すＱｏＳフィールドを備え、
前記ＱｏＳメッセージに応答してクリアツートランスミット（ＣＴＸ）メッセージを受信するための手段と、
前記ＣＴＸメッセージに応答してデータを前記デバイスに送信するための手段と、
を備える装置。
【請求項１１】
前記ＱｏＳメッセージはＱｏＳデータフレームを備える、請求項１０に記載の装置。
【請求項１２】
前記ＱｏＳメッセージはＱｏＳヌルフレームを備えるか、または
前記ＱｏＳメッセージは、送信電力の前記指示を備えるＱｏＳフィールドを備えるか、または
前記ＱｏＳメッセージは、１つまたは複数の変調およびコーディング方式（ＭＣＳ）を要求するＱｏＳフィールドを備える、請求項１０に記載の装置。
【請求項１３】
前記ＱｏＳメッセージは、複数のトラフィック識別子（ＴＩＤ）のためのバッファサイズを示すシーケンス制御フィールドを備えるか、または
前記ＱｏＳメッセージは、送信電力の前記指示を備えるシーケンス制御フィールドを備えるか、または
前記ＱｏＳメッセージは、１つまたは複数の変調およびコーディング方式（ＭＣＳ）を要求するシーケンス制御フィールドを備える、請求項１０に記載の装置。
【請求項１４】
前記受信するための手段は、前記デバイスが複数のアップリンクユーザから、バッファ情報をもつＱｏＳメッセージを受信した後に、前記ＣＴＸメッセージを受信するように構成される、請求項１０に記載の装置。
【請求項１５】
実行されると、装置に、
サービス品質（ＱｏＳ）メッセージをデバイスへ送信することと、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、前記ＱｏＳメッセージは、複数のトラフィック識別子（ＴＩＤ）のためのバッファサイズを示すＱｏＳフィールドを備え、
前記ＱｏＳメッセージに応答してクリアツートランスミット（ＣＴＸ）メッセージを受信することと、
前記ＣＴＸメッセージに応答してデータを前記デバイスへ送信することと、
を行わせるコードを備える、コンピュータプログラム。
【手続補正２】
【補正対象書類名】明細書
【補正対象項目名】０１２３
【補正方法】変更
【補正の内容】
【０１２３】
[0141]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願の出願当初の特許請求の範囲に記載された発明を付記する。
［Ｃ１］
ワイヤレス通信の方法であって、
サービス品質（ＱｏＳ）メッセージをデバイスに送信することと、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、
前記ＱｏＳメッセージに応答してクリアツートランスミット（ＣＴＸ）メッセージを受信することと、
前記ＣＴＸメッセージに応答してデータを前記デバイスに送信することと、
を備える方法。
［Ｃ２］
前記ＱｏＳメッセージはＱｏＳデータフレームを備える、Ｃ１に記載の方法。
［Ｃ３］
前記ＱｏＳメッセージはＱｏＳヌルフレームを備える、Ｃ１に記載の方法。
［Ｃ４］
前記ＱｏＳメッセージは、複数のトラフィック識別子（ＴＩＤ）のためのバッファサイズを示すＱｏＳフィールドを備える、Ｃ１に記載の方法。
［Ｃ５］
前記ＱｏＳメッセージは、送信電力の前記指示を備えるＱｏＳフィールドを備える、Ｃ１に記載の方法。
［Ｃ６］
前記ＱｏＳメッセージは、１つまたは複数の変調およびコーディング方式（ＭＣＳ）を要求するＱｏＳフィールドを備える、Ｃ１に記載の方法。
［Ｃ７］
前記ＱｏＳメッセージは、複数のトラフィック識別子（ＴＩＤ）のためのバッファサイズを示すシーケンス制御フィールドを備える、Ｃ１に記載の方法。
［Ｃ８］
前記ＱｏＳメッセージは、送信電力の前記指示を備えるシーケンス制御フィールドを備える、Ｃ１に記載の方法。
［Ｃ９］
前記ＱｏＳメッセージは、１つまたは複数の変調およびコーディング方式（ＭＣＳ）を要求するシーケンス制御フィールドを備える、Ｃ１に記載の方法。
［Ｃ１０］
前記受信することは、前記デバイスが複数のアップリンクユーザから、バッファ情報をもつＱｏＳメッセージを受信した後に、前記ＣＴＸメッセージを受信することを備える、Ｃ１に記載の方法。
［Ｃ１１］
ワイヤレスに通信するように構成される装置であって、
デバイスへの送信サービス品質（ＱｏＳ）メッセージを準備するように構成されるプロセッサと、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、
前記ＱｏＳメッセージに応答してクリアツートランスミット（ＣＴＸ）メッセージを受信するように構成される受信機と、
前記ＣＴＸメッセージに応答してデータを前記デバイスに送信するように構成される送信機と、
を備える装置。
［Ｃ１２］
前記ＱｏＳメッセージはＱｏＳデータフレームを備える、Ｃ１１に記載の装置。
［Ｃ１３］
前記ＱｏＳメッセージはＱｏＳヌルフレームを備える、Ｃ１１に記載の装置。
［Ｃ１４］
前記ＱｏＳメッセージは、複数のトラフィック識別子（ＴＩＤ）のためのバッファサイズを示すＱｏＳフィールドを備える、Ｃ１１に記載の装置。
［Ｃ１５］
前記ＱｏＳメッセージは送信電力の前記指示を備えるＱｏＳフィールドを備える、Ｃ１１に記載の装置。
［Ｃ１６］
前記ＱｏＳメッセージは、１つまたは複数の変調およびコーディング方式（ＭＣＳ）を要求するＱｏＳフィールドを備える、Ｃ１１に記載の装置。
［Ｃ１７］
前記ＱｏＳメッセージは、複数のトラフィック識別子（ＴＩＤ）のためのバッファサイズを示すシーケンス制御フィールドを備える、Ｃ１１に記載の装置。
［Ｃ１８］
前記ＱｏＳメッセージは、送信電力の前記指示を備えるシーケンス制御フィールドを備える、Ｃ１１に記載の装置。
［Ｃ１９］
前記ＱｏＳメッセージは、１つまたは複数の変調およびコーディング方式（ＭＣＳ）を要求するシーケンス制御フィールドを備える、Ｃ１１に記載の装置。
［Ｃ２０］
前記受信機は、前記デバイスが複数のアップリンクユーザから、バッファ情報をもつＱｏＳメッセージを受信した後に、前記ＣＴＸメッセージを受信するように構成される、Ｃ１１に記載の装置。
［Ｃ２１］
ワイヤレス通信のための装置であって、
サービス品質（ＱｏＳ）メッセージをデバイスに送信するための手段と、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、
前記ＱｏＳメッセージに応答してクリアツートランスミット（ＣＴＸ）メッセージを受信するための手段と、
前記ＣＴＸメッセージに応答してデータを前記デバイスに送信するための手段と、
を備える装置。
［Ｃ２２］
前記ＱｏＳメッセージはＱｏＳデータフレームを備える、Ｃ２１に記載の装置。
［Ｃ２３］
前記ＱｏＳメッセージはＱｏＳヌルフレームを備える、Ｃ２１に記載の装置。
［Ｃ２４］
前記ＱｏＳメッセージは、複数のトラフィック識別子（ＴＩＤ）のためのバッファサイズを示すＱｏＳフィールドを備える、Ｃ２１に記載の装置。
［Ｃ２５］
前記ＱｏＳメッセージは、送信電力の前記指示を備えるＱｏＳフィールドを備える、Ｃ２１に記載の装置。
［Ｃ２６］
前記ＱｏＳメッセージは、１つまたは複数の変調およびコーディング方式（ＭＣＳ）を要求するＱｏＳフィールドを備える、Ｃ２１に記載の装置。
［Ｃ２７］
前記ＱｏＳメッセージは、複数のトラフィック識別子（ＴＩＤ）のためのバッファサイズを示すシーケンス制御フィールドを備える、Ｃ２１に記載の装置。
［Ｃ２８］
前記ＱｏＳメッセージは、送信電力の前記指示を備えるシーケンス制御フィールドを備える、Ｃ２１に記載の装置。
［Ｃ２９］
前記ＱｏＳメッセージは、１つまたは複数の変調およびコーディング方式（ＭＣＳ）を要求するシーケンス制御フィールドを備える、Ｃ２１に記載の装置。
［Ｃ３０］
実行されると、装置に、
サービス品質（ＱｏＳ）メッセージをデバイスへ送信することと、前記ＱｏＳメッセージは前記デバイスにアップリンクデータを送るための送信機会に対する要求を含み、前記ＱｏＳメッセージは、その中に、シーケンス制御フィールドまたはＱｏＳ制御フィールドの少なくとも１つを備え、
前記ＱｏＳメッセージに応答してクリアツートランスミット（ＣＴＸ）メッセージを受信することと、
前記ＣＴＸメッセージに応答してデータを前記デバイスへ送信することと、
を行わせるコードを備える、非一時的コンピュータ可読媒体。